(57)【要約】【課題】  仕切られる２つの空間の水位差を調整し、当該空間を行き来するための扉の開閉を滞らせない。【解決手段】  ２つの空間を仕切り、前記２つの空間間における水の行き来を抑止する仕切りと、前記仕切りに含まれ、一の前記空間側に開く扉であって、前記一の空間側の水位が所定の高さより高くなると前記一の空間側にある水の水圧によって開かない扉と、前記一の空間側の水位が第１の高さになったことを検知する第１水位検知手段と、前記仕切りに含まれ、前記第１水位検知手段によって、前記一の空間側の水位が前記第１の高さになったことが検知されないとき、前記一の空間側から他の空間側への水の流入をさせず、前記一の空間側の水位が前記第１の高さになったことが検知されるとき、前記一の空間側の水を前記他の空間側に流入させる第１装置と、を有する。【選択図】図１
2020101068.tif 000002
【特許請求の範囲】
【請求項１】
２つの空間を仕切り、前記２つの空間間における水の行き来を抑止する仕切りと、
前記仕切りに含まれ、一の前記空間側に開く扉であって、前記一の空間側の水位が所定の高さより高くなると前記一の空間側にある水の水圧によって開かない扉と、
前記一の空間側の水位が第１の高さになったことを検知する第１水位検知手段と、
前記仕切りに含まれ、前記第１水位検知手段によって、前記一の空間側の水位が前記第１の高さになったことが検知されないとき、前記一の空間側から他の空間側への水の流入をさせず、前記一の空間側の水位が前記第１の高さになったことが検知されるとき、前記一の空間側の水を前記他の空間側に流入させる第１装置と、を有することを特徴とする水位差調整構造。
【請求項２】
前記他の空間側の水位が第２の高さになったことを検知する第２水位検知手段と、
前記仕切りに含まれ、前記第２水位検知手段によって、前記他の空間側の水位が前記第２の高さになったことが検知されないとき、前記他の空間側から前記一の空間側への水の流出をさせず、前記他の空間側の水位が前記第２の高さになったことが検知されるとき、前記他の空間側の水を前記一の空間側に流出させる第２装置と、を有することを特徴とする請求項１に記載の水位差調整構造。
【請求項３】
前記第１水位検知手段及び前記第１装置が、前記一の空間側から前記他の空間側に向かう水による圧力が所定値以上になることを検知しないとき、前記一の空間側から他の空間側への水の流入をさせず、前記一の空間側から前記他の空間側に向かう水の圧力が所定値以上になることが検知されるとき、前記一の空間側の水を前記他の空間側に流入させる第１逆止弁装置であることを特徴とする請求項１に記載の水位差調整構造。
【請求項４】
前記第２水位検知手段及び前記第２装置が、前記他の空間側から前記一の空間側に向かう水の圧力が所定値以上になることを検知しないとき、前記他の空間側から一の空間側への水の流出をさせず、前記他の空間側から一の空間側に向かう水の圧力が所定値以上になることが検知されるとき、前記他の空間側の水を前記一の空間側に流出させる第２逆止弁装置であることを特徴とする請求項２に記載の水位差調整構造。
【請求項５】
前記一の空間が建物の外、前記他の空間が建物の中であることを特徴とする請求項１乃至４の何れか一に記載の水位差調整構造。
【請求項６】
前記一の空間が建物の中にある部屋の外、前記他の空間が建物の中にある部屋の中であることを特徴とする請求項１乃至４の何れか一に記載の水位差調整構造。
【請求項７】
前記一の空間が倉庫の外、前記他の空間が倉庫の中であることを特徴とする請求項５に記載の水位差調整構造。
【請求項８】
２つの空間を仕切り、前記２つの空間間における水の行き来を抑止する仕切りと、前記仕切りに含まれ、一の前記空間側に開く扉であって、前記一の空間側の水位が所定の高さより高くなると前記一の空間側にある水の水圧によって開かない扉と、を有する構造における水位差調整方法であって、
第１水位検知手段が、前記一の空間側の水位が第１の高さになったことを検知するステップと、
前記仕切りに含まれる第１装置が、前記第１水位検知手段によって、前記一の空間側の水位が前記第１の高さになったことが検知されないとき、前記一の空間側から他の空間側への水の流入をさせず、前記一の空間側の水位が前記第１の高さになったことが検知されるとき、前記一の空間側の水を前記他の空間側に流入させるステップと、を含むことを特徴とする水位差調整方法。
【請求項９】
第２水位検知手段が、前記他の空間側の水位が第２の高さになったことを検知するステップと、
前記仕切りに含まれる第２装置が、前記第２水位検知手段によって、前記他の空間側の水位が前記第２の高さになったことが検知されないとき、前記他の空間側から前記一の空間側への水の流出をさせず、前記他の空間側の水位が前記第２の高さになったことが検知されるとき、前記他の空間側の水を前記一の空間側に流出させるステップと、を含むことを特徴とする請求項８に記載の水位差調整方法。
【請求項１０】
前記第１水位検知手段及び前記第１装置が、前記一の空間側から前記他の空間側に向かう水による圧力が所定値以上になることを検知しないとき、前記一の空間側から他の空間側への水の流入をさせず、前記一の空間側から前記他の空間側に向かう水の圧力が所定値以上になることが検知されるとき、前記一の空間側の水を前記他の空間側に流入させることを特徴とする請求項８に記載の水位差調整方法。
【請求項１１】
前記第２水位検知手段及び前記第２装置が、前記他の空間側から前記一の空間側に向かう水の圧力が所定値以上になることを検知しないとき、前記他の空間側から一の空間側への水の流出をさせず、前記他の空間側から一の空間側に向かう水の圧力が所定値以上になることが検知されるとき、前記他の空間側の水を前記一の空間側に流出させることを特徴とする請求項９に記載の水位差調整方法。
【請求項１２】
前記一の空間が建物の外、前記他の空間が建物の中であることを特徴とする請求項８乃至１１の何れか一に記載の水位差調整方法。
【請求項１３】
前記一の空間が建物の中にある部屋の外、前記他の空間が建物の中にある部屋の中であることを特徴とする請求項８乃至１１の何れか一に記載の水位差調整方法。
【請求項１４】
前記一の空間が倉庫の外、前記他の空間が倉庫の中であることを特徴とする請求項１２に記載の水位差調整方法。
【発明の詳細な説明】
【技術分野】
【０００１】
仕切られた２つの空間間の水位差を解消させ、当該空間間に設置される扉の開閉を滞らせない技術に関する。
【背景技術】
【０００２】
近年、地球温暖化が影響しているのか、大雨の程度・頻度が増大し、それに伴う水害も多発する傾向にある。また、大雨によって建物の周囲にまで水が迫る被害も増えている。
【０００３】
一方、大量の水による水圧は大きいため、くぐり抜け式通路に溜まった水に沈んだ自動車のドアが水圧によって開かず、人が車内に閉じ込められる事態も発生している。
【０００４】
他方、雨の被害は昔からあり、対策が講じられてきており、例えば、特許文献１では、内部に入り込んだ雨水を排水する排水口を備える保管庫が提案されている。
【先行技術文献】
【特許文献】
【０００５】
【特許文献１】特開２００５−９０１６６号公報
【発明の概要】
【発明が解決しようとする課題】
【０００６】
しかしながら、上記の従来技術においては、仕切られた２つの空間間に設置される扉について、当該空間間の水位差によって生じる水圧によって、その開閉が滞ってしまう事態を解消させることができないという問題点がある。
【０００７】
そこで本発明では、上記問題点に鑑み、仕切られる２つの空間の水位差を調整し、当該空間を行き来するための扉の開閉を滞らせないための水位差調整構造を提供することを目的とする。
【課題を解決するための手段】
【０００８】
開示する水位差調整構造の一形態は、２つの空間を仕切り、前記２つの空間間における水の行き来を抑止する仕切りと、前記仕切りに含まれ、一の前記空間側に開く扉であって、前記一の空間側の水位が所定の高さより高くなると前記一の空間側にある水の水圧によって開かない扉と、前記一の空間側の水位が第１の高さになったことを検知する第１水位検知手段と、前記仕切りに含まれ、前記第１水位検知手段によって、前記一の空間側の水位が前記第１の高さになったことが検知されないとき、前記一の空間側から他の空間側への水の流入をさせず、前記一の空間側の水位が前記第１の高さになったことが検知されるとき、前記一の空間側の水を前記他の空間側に流入させる第１装置と、を有することを特徴とする。
【０００９】
また、開示する水位差調整構造の一形態は、上記構成に加え、前記他の空間側の水位が第２の高さになったことを検知する第２水位検知手段と、前記仕切りに含まれ、前記第２水位検知手段によって、前記他の空間側の水位が前記第２の高さになったことが検知されないとき、前記他の空間側から前記一の空間側への水の流出をさせず、前記他の空間側の水位が前記第２の高さになったことが検知されるとき、前記他の空間側の水を前記一の空間側に流出させる第２装置と、を有することを特徴とする。
【発明の効果】
【００１０】
開示する水位差調整構造は、仕切られる２つの空間の水位差を調整し、当該空間を行き来するための扉の開閉を滞らせない。
【図面の簡単な説明】
【００１１】
【図１】本実施の形態に係る水位差調整構造の全体構成を示す模式図である。
【図２】本実施の形態に係る水位差調整構造の側面方向の模式的断面図である。
【図３】本実施の形態に係る水位差調整構造の平面方向の模式的断面図（その１）である。
【図４】本実施の形態に係る第１水位検知手段及び第１装置（第２水位検知手段及び第２装置）の一例を示す図である。
【図５】本実施の形態に係る第１水位検知手段及び第１装置（第２水位検知手段及び第２装置）の一例を示す図である。
【図６】本実施の形態に係る水位差調整構造の側面方向の模式的断面図（その２）である。
【発明を実施するための形態】
【００１２】
図面を参照しながら、本発明を実施するための形態について説明する。
（本実施の形態に係る水位差調整構造の原理）
【００１３】
図１乃至６を用いて、本実施の形態に係る水位差調整構造（以下、単に「本構造」という。）１の原理について説明する。図１は、本構造１の全体構成を示す図であり、図２及び６は、本構造１の側面方向の断面図であり、図３は、本構造１の平面方向の断面図である。また、図４及び５は、後述する第１水位検知手段１０及び第１装置１２（第２水位検知手段１４及び第２装置１６）の動作の一例を説明するための図である。
図１で示すように、本構造１は、仕切り６、扉８、第１水位検知手段１０、第１装置１２、第２水位検知手段１４、第２装置１６を有する。
【００１４】
仕切り６は、第１空間２及び第２空間４を仕切り、２つの空間２、４間における水の行き来を抑止する部材であり、例えば、壁である。仕切り６の厚み、高さ等の大きさ、材料は、特に限定されない。ここで、第１空間２、第２空間４はそれぞれ、仕切り６によって仕切られる空間であり、例えば、敷地の外側と内側、住宅・倉庫等建物の外側と内側、建物の中にある部屋の外側と内側といったような概念である。
【００１５】
扉８は、仕切り６に含まれ（仕切り６の一部ということもできる）、第１空間２側に開く扉であって、第１空間２側の水位が所定の高さより高くなると第１空間２側にある水の水圧によって開かなくなる扉である。また、扉８は、第１空間２・第２空間４間を行き来するためのものである。
【００１６】
第１水位検知手段１０は、第１空間２側の水位１８が第１の高さ（第１閾値）２２になったことを検知する。第１水位検知手段１０は、水位１８が第１閾値２２より大きくなったことを検知する形態としても良い。
【００１７】
第１水位検知手段１０による水位１８の検出方法は、特に限定されないが、例えば、“うき”の浮き沈みの程度に基づき検出する方式、第１空間２・第２空間４間の圧力差（“第１空間２から第２空間４に向かう水圧又は空気圧”から“第２空間４から第１空間２に向かう空気圧又は水圧”を控除した大きさ）に基づき検出する方式等であっても良い。
【００１８】
図２で示すように、第１空間２側に水が溜まっているとき、第１水位検知手段１０は、水位１８が第１閾値２２になったことを検知、又は、水位１８が第１閾値２２より大きくなったことを検知する。第１閾値２２の大きさは、適宜設定される。
【００１９】
第１装置１２は、仕切り６に含まれ（仕切り６の一部ということもできる）、第１水位検知手段１０によって、水位１８が第１閾値２２になったことが検知されないとき、第１空間２側から第２空間４側へ水を流入させず、水位１８が第１閾値２２になったことが検知されるとき、第１空間２側の水を第２空間４側に流入させる。
【００２０】
第１装置１２は、第１水位検知手段１０によって、水位１８が第１閾値２２より大きくなったことが検知されないとき、第１空間２側から第２空間４側へ水を流入させず、水位１８が第１閾値２２より大きくなったことが検知されるとき、第１空間２側の水を第２空間４側に流入させる形態としても良い。
【００２１】
図２及び３で示すように、第１水位検知手段１０及び第１装置１２は、第１空間２側の水位１８が第１閾値２２より大きくなった場合、第１空間２側から第２空間４側へ水を流入させ、第１空間２・第２空間４における水位差を調整する。なお、第１水位検知手段１０及び第１装置１２は、第１空間２側の水位１８が第１閾値２２より小さい場合、第１空間２側から第２空間４側への水の流入を行わせない。
【００２２】
図４及び５で示すように、第１水位検知手段１０及び第１装置１２は、水位１８が第１装置１２の備える逆止弁を開ける程度２２まで上がったら、第１空間２側から第２空間４側へ水を流入させる形態であっても良い。このとき、第１水位検知手段１０は、第１装置１２が備える逆止弁と考えても良く、第１空間２・第２空間４間の圧力差（“第１空間２から第２空間４に向かう水圧又は空気圧”から“第２空間４から第１空間２に向かう空気圧又は水圧”を控除した大きさ）に基づき水位１８を検出する。また、第１装置１２は、第１水位検知手段１０を備える逆止弁装置と考えることができる。
【００２３】
上記の構成に基づいて、本構造１は、仕切られる２つの空間２、４の水位差を調整し、第１空間２から第２空間４へ向かう方向の扉８に加わる力を低減させることによって、空間２、４を行き来するための扉８の開閉を滞らせない。
【００２４】
第２水位検知手段１４は、第２空間４側の水位２０が第２の高さ（第２閾値）２４になったことを検知する。第２水位検知手段１４は、水位２０が第２閾値２４より大きくなったことを検知する形態としても良い。
【００２５】
第２水位検知手段１４による水位２０の検出方法は、特に限定されないが、例えば、“うき”の浮き沈みの程度に基づき検出する方式、第１空間２・第２空間４間の圧力差（“第２空間４から第１空間２に向かう水圧又は空気圧”から“第１空間２から第２空間４に向かう空気圧又は水圧”を控除した大きさ）に基づき検出する方式等であっても良い。
【００２６】
図６で示すように、第２空間４側に水が溜まっているとき、第２水位検知手段１４は、水位２０が第２閾値２４になったことを検知、又は、水位２０が第２閾値２４より大きくなったことを検知する。第２閾値２４の大きさは、適宜設定される。
【００２７】
第２装置１６は、仕切り６に含まれ（仕切り６の一部であるということもできる）、第２水位検知手段１４によって、水位２０が第２閾値２４になったことが検知されないとき、第２空間４側から第１空間２側へ水を流出させず、水位２０が第２閾値２４になったことが検知されるとき、第２空間４側の水を第１空間２側に流出させる。
【００２８】
第２装置１６は、第２水位検知手段１４によって、水位２０が第２閾値２４より大きくなったことが検知されないとき、第２空間４側から第１空間２側へ水を流出させず、水位２０が第２閾値２４より大きくなったことが検知されるとき、第２空間４側の水を第１空間２側に流出させる形態としても良い。
【００２９】
図３及び６で示すように、第２水位検知手段１４及び第２装置１６は、第２空間４側の水位２０が第２閾値２４より大きくなった場合、第２空間４側から第１空間２側へ水を流出させ、第１空間２・第２空間４における水位差を調整する。なお、第２水位検知手段１４及び第２装置１６は、第２空間４側の水位２０が第２閾値２４より小さい場合、第２空間４側から第１空間２側への水の流出を行わせない。
【００３０】
図４及び５で示すように、第２水位検知手段１４及び第２装置１６は、水位２０が第２装置１６の備える逆止弁を開ける程度２４まで上がったら、第２空間４側から第１空間２側へ水を流出させる形態であっても良い。このとき、第２水位検知手段１４は、第２装置１６が備える逆止弁と考えても良く、第１空間２・第２空間４間の圧力差（“第２空間４から第１空間２に向かう水圧又は空気圧”から“第１空間２から第２空間４に向かう空気圧又は水圧”を控除した大きさ）に基づき水位２０を検出する。また、第２装置１６は、第２水位検知手段１４を備える逆止弁装置と考えることができる。なお、第２水位検知手段１４及び第２装置１６は、第１水位検知手段１０及び第１装置１２と逆向きに設置されることとなる。
【００３１】
上記した構成に基づいて、本構造１は、第１空間２の水が引いた後、第２空間４内に溜まった水を第１空間４へ排出し、第２空間４内の環境を平常状態に戻すことができる。
（本実施の形態に係る水位差調整構造の使用方法）
【００３２】
図１乃至６を用いて、本構造１の使用方法について説明する。本構造１において、第１空間２は、本構造１の利用者によって特定の目的を以って使用されない空間であり、第２空間４は、利用者によって特定の目的を以って使用される空間であると位置づけることができる。
【００３３】
また、図１で示すように、第１空間２及び第２空間４は、仕切り６によって仕切られ、仕切り６には第１空間２・第２空間４間を行き来するための扉８が設置されている。扉８は、第１空間２側に開く扉であって、第１空間２側の水位１８が所定の高さより高くなると第１空間２側にある水の水圧によって開かなくなる。
ここで、利用者が第２空間４を特定の目的を以って使用している中、大雨等によって第２空間４の周囲２にまで水が迫る事態を想定する。
【００３４】
図２乃至５で示すように、本構造１においては、第１空間２側の水位１８が第１装置１２の逆止弁１０を開ける程度２２まで上がったら、第１空間２側から第２空間４側へ水を流入させる。
【００３５】
こうすることによって、本構造１は、仕切られる２つの空間２、４の水位差を調整し、第１空間２から第２空間４へ向かう方向の扉８に加わる力を低減させることによって、空間２、４を行き来するための扉８の開閉を滞らせない。利用者は、引き続き、第２空間４を特定の目的を以って使用することができる。
次に、上記のような事態を経て、第２空間４の周囲２の水が引いた後を想定する。
【００３６】
図３乃至６で示すように、本構造１においては、第２空間４側の水位２０が第２装置１６の逆止弁１４を開ける状態２４となったら、第２空間４側から第１空間２側へ水を流出させる。こうすることによって、本構造１は、第１空間２の水が引いた後、第２空間４内に溜まった水を第１空間４へ排出し、第２空間４内の環境を平常状態に戻すことができる。
【００３７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３８】
１    水位差調整構造
２    第１空間
４    第２空間
６    仕切り
８    扉
１０  第１水位検知手段
１２  第１装置（第１逆止弁装置）
１４  第２水位検知手段
１６  第２装置（第２逆止弁装置）
１８  第１空間側の水位
２０  第２空間側の水位
２２  第１の高さ
２４  第２の高さ
【図１】
2020101068.tif 000003
【図２】
2020101068.tif 000004
【図３】
2020101068.tif 000005
【図４】
2020101068.tif 000006
【図５】
2020101068.tif 000007
【図６】
2020101068.tif 000008